(57)【要約】【課題】本体動作を案内する表示部の輝度レベルを変える時刻をユーザが設定できるようにする。【解決手段】ＣＰＵは、ユーザにより設定された時刻，輝度レベルをＲＡＭへ記憶する。そして入力された現在時刻により、表示管制御部，電源確認用ＬＥＤ，録画動作確認用ＬＥＤ，ディスク検出結果表示用ＬＥＤの輝度を８段階から選んだ輝度へ変える。輝度を変えるタイミングもユーザの生活リズムに合せ、第１所定時刻、第２所定時刻、第３所定時刻というように１日３回以上のタイミングで変えることができる。また、電源を投入していない待機時には、動作時よりも輝度レベルを低くする。【選択図】　　　図３
2004004217.tif 000002
【特許請求の範囲】
【請求項１】
本体動作を案内すると共にこの案内するときの輝度レベルを複数の輝度レベルに調整可能な表示部と、
メモリと、
ユーザにより入力された輝度レベルを変える第１および第２の時刻を前記メモリへ記憶させる設定時刻記憶制御部と、
ユーザにより入力された前記第１の時刻と前記第２の時刻間に設定された第１の輝度レベルと、前記第２の時刻と前記第１の時刻間に設定された第２の輝度レベルとを前記メモリへ記憶させる設定輝度レベル記憶制御部と、
現在時刻を出力する時計手段と、
前記表示部の輝度レベルを、前記メモリから前記第１の時刻および前記第２の時刻と前記第１の輝度レベルおよび前記第２の輝度レベルと前記時計手段から入力された現在時刻に応じて制御する輝度レベル制御部とを備えたことを特徴とする電気機器。
【請求項２】
本体の電源を投入した動作可能な状態である動作可能状態と、前記本体の電源を切断した待機状態とを切り替える電源スイッチと、
ユーザによる前記電源スイッチの操作に応じた前記状態に応じて、前記動作可能状態よりも前記待機状態の輝度レベルを低く制御する手段を備えたことを特徴とする請求項１に記載の電気機器。
【請求項３】
利用者による操作が所定時間無いことを検出する無操作時間検出手段と、
前記無操作時間検出手段から前記操作が所定時間無いことが検出されると前記表示部の輝度レベルを低く変える手段とを備えたことを特徴とする請求項１または２に記載の電気機器。
【請求項４】
電波により送信された時刻情報を受信する受信手段と、
この受信手段により受信された前記時刻情報に応じて前記時計手段の時刻を修正する時刻修正手段とを備えたことを特徴とする請求項１乃至３のいずれか１項に記載の電気機器。
【請求項５】
前記表示部は本体動作を案内するＬＥＤと本体動作を案内する蛍光表示部とを有し、
前記ＬＥＤと前記蛍光表示部とを同期して輝度レベルを変える手段とを備えたことを特徴とする請求項１乃至４のいずれか１項に記載の電気機器。
【請求項６】
前記表示部は本体動作を案内するＬＥＤと本体動作を案内するバックライト付き液晶表示部とを有し、
前記ＬＥＤと前記バックライト付き液晶表示部のバックライトとを同期して輝度レベルを変える手段とを備えたことを特徴とする請求項１乃至４のいずれか１項に記載の電気機器。
【発明の詳細な説明】
【０００１】
【発明の属する技術分野】
この発明は、電気機器に関し、特に本体動作を案内する複数の輝度レベルに調整可能な表示部を有する電気機器に関する。
【０００２】
【従来の技術】
ＤＶＤ録再機器等の電気機器の多くは、利用者への案内をするユーザー・インターフェイス部（以下、表示ＵＩ部と記す）に用いるため、ＬＥＤ（Ｌｉｇｈｔ　Ｅｍｉｔｔｉｎｇ　Ｄｉｏｄｅ），蛍光表示管，バックライト付液晶表示ディスプレイなどの発光表示部を備える。
【０００３】
従来、発光表示部の視認性を改善させたり消費電力を抑えるために、発光表示部周辺の明かりを検知して発光表示部の輝度を制御することが行われている。この発光表示部周辺の明かりを照度センサーにより検出して発光表示部の輝度を制御する技術については、例えば特開平８−２２７２８０号公報に記載がある。
【０００４】
この公報には、冷蔵庫の庫内温度を等を表示するＬＥＤなどの明るさが、昼と夜の周囲の明るさの変化により、夜間明るすぎて使用者に不快感を与えさせることのない冷蔵庫の表示制御装置を得るために、昼間と夜間とを検出する昼夜検出手段である光センサを設けている。そしてこの光センサの検出に基づいて庫内の温度などを表示する表示手段であるＬＥＤの輝度を制御する発光輝度制御手段をマイクロコンピュータなどにより構成し、ＬＥＤを昼は明るく、夜は暗く発光させて夜間の明るすぎを防止している。
【０００５】
【発明が解決しようとする課題】
しかし、ユーザの生活リズムは個人で異なっている。このように従来の電気機器においては、本体動作を案内する表示部の輝度レベルを変える時刻はユーザの生活リズムに必ずしも合ったものとはなっていなかった。
【０００６】
この発明は、輝度を変化させる時刻をユーザが自由に設定できるので、ユーザの生活リズムに合った動作を行わせることができる。また、この発明は、利用者の操作のし易さと待機中の省電力とをバランス良く調整することができる。
【０００７】
【課題を解決するための手段】
上記の目的を達成するために、この発明においては、本体動作を案内すると共にこの案内するときの輝度レベルを複数の輝度レベルに調整可能な表示部と、メモリと、ユーザにより入力された輝度レベルを変える第１および第２の時刻を前記メモリへ記憶させる設定時刻記憶制御部と、ユーザにより入力された前記第１の時刻と前記第２の時刻間に設定された第１の輝度レベルと、前記第２の時刻と前記第１の時刻間に設定された第２の輝度レベルとを前記メモリへ記憶させる設定輝度レベル記憶制御部と、現在時刻を出力する時計手段と、前記表示部の輝度レベルを、前記メモリから前記第１の時刻および前記第２の時刻と前記第１の輝度レベルおよび前記第２の輝度レベルと前記時計手段から入力された現在時刻に応じて制御する輝度レベル制御部とを備えたことを特徴とする電気機器を提供する。
【０００８】
【発明の実施の形態】
（第１の実施の形態）
以下、本発明の電気機器について図１を用いて詳細に説明する。この実施の形態では電気機器として、録画および再生が可能な録画再生装置を例としている。
図１は、録画再生装置のフロントパネル部を示す図である。
図１において、この録画再生装置のフロントパネル部には、録画再生装置の動作状態を案内する蛍光表示管１０１と、利用者が直接操作するスイッチ部１０２と、利用者のリモコンによる操作を受けるリモコン受光部１０３と、録画再生装置の電源をオフ状態（待機中）とオン状態（動作可能）に切換えるための電源スイッチ１０４と、録画再生装置の電源のオン／オフ状態に応じて発光する電源確認用ＬＥＤ１０５と、録画再生装置の録画状態を表示する録画動作確認用ＬＥＤ１０６と、ドライブ内のメディア有無を表示するディスク検出結果表示用ＬＥＤ１０７と、ＤＶＤディスクへ記録・再生するためのＤＶＤドライブ１０８を有している。この実施の形態ではＤＶＤを記録媒体とするが、本発明はこれに限定されず、ＨＤＤ（ハード・ディスク・ドライブ）等の磁気ディスク、磁気テープ、光磁気ディスク、メモリ等記録可能なものであれば良い。
【０００９】
上記電源確認用ＬＥＤ１０５は、録画再生装置の電源がオン状態のときには緑色に発光し、電源オフ状態のときには赤で点する。
次に、図２を用いて録画再生装置について詳細に説明する。
図２は、録画再生装置の機能構成を示す図である。図２において、各種演算を行うＣＰＵ２０１と、ＣＰＵ２０１が各種演算を行うためのＲＡＭ２０２と、録画再生装置は利用者が直接操作するスイッチ１０２と、リモコン受光部１０３、スイッチ部１０２やリモコン受光部１０３からの信号を受信し、この受信した信号をＣＰＵ２０１へ渡す受信制御部２０３、表示管制御部２０４と、表示管制御部２０４からの制御信号により制御される蛍光表示管１０１と、電源確認用ＬＥＤ１０５と、録画動作確認用ＬＥＤ１０６と、ディスク検出結果表示用ＬＥＤ１０７と、これら電源確認用ＬＥＤ１０５，録画動作確認用ＬＥＤ１０６，ディスク検出結果表示用ＬＥＤ１０７のＬＥＤを駆動するＰＷＭ駆動部２０５と、時計用水晶振動子２０６と、時計用水晶振動子２０６からの信号により時刻を計算する時計部２０７とから構成されている。
【００１０】
次に、図２に示された録画再生装置の動作を詳細に説明する。以下、特に断りがない限り、ＣＰＵ２０１がＲＯＭ２００から読み出したプログラムを実行することにより制御が行われるものである。
【００１１】
図示しないユーザのリモコンには、蛍光表示管１０１や各種ＬＥＤの輝度を制御するためのスイッチが設けられている。
ユーザがこのスイッチを操作すると、蛍光表示管１０１や各種ＬＥＤの輝度を制御するための制御信号がリモコンから録画再生装置へ発せられる。リモコン受光部１０３は、リモコンから受信した蛍光表示管１０１や各種ＬＥＤの輝度を制御するための制御信号を受信制御部２０３へ出力する。この遠隔操作時、リモコンとリモコン受光部１０３との間では、遠隔操作用に変復調がされる。
【００１２】
受信制御部２０３は、リモコン受光部１０３が受信した蛍光表示管１０１や各種ＬＥＤの輝度を制御するための制御信号をＣＰＵ２０１へ出力する。
ＣＰＵ２０１は、受信制御部２０３から蛍光表示管１０１や各種ＬＥＤの輝度を制御するための制御信号を受けると、ＲＯＭ２００から蛍光表示管１０１および電源確認用ＬＥＤ１０５，録画動作確認用ＬＥＤ１０６，ディスク検出結果表示用ＬＥＤ１０７のＬＥＤの輝度を制御するための制御プログラムを読み出して実行することにより、蛍光表示管１０１の輝度を制御するための制御信号を表示管制御部２０４へ、ＲＯＭ２００から電源確認用ＬＥＤ１０５，録画動作確認用ＬＥＤ１０６，ディスク検出結果表示用ＬＥＤ１０７のＬＥＤの輝度を制御するための制御信号をＰＷＭ駆動部２０５へ出力する。
【００１３】
表示管制御部２０４は、ＣＰＵ２０１から入力された蛍光表示管１０１の輝度を制御するための制御信号に応じて表示管のグリット駆動のパルス幅を可変することにより蛍光表示管１０１の輝度を制御する。蛍光表示管１０１の輝度は、グリット駆動のパルス幅が長い場合には明るく、短い場合には暗くなる。
【００１４】
ＰＷＭ駆動部２０５は、ＣＰＵ２０１から入力された制御信号に応じて電源確認用ＬＥＤ１０５，録画動作確認用ＬＥＤ１０６，ディスク検出結果表示用ＬＥＤ１０７のＬＥＤの輝度を制御する。電源確認用ＬＥＤ１０５，録画動作確認用ＬＥＤ１０６，ディスク検出結果表示用ＬＥＤ１０７のＬＥＤの輝度は、ＬＥＤに流れる電流量が大きい程明るく、小さい程暗くなる。また、ＬＥＤの輝度の制御方法としてＬＥＤへの通電の入切を短時間に繰り返し、残像現象によりＬＥＤが点灯しているように見せる時分割制御を採用している場合にはＬＥＤの通電時間を長くすることにより明るく、短い場合には暗くなる。
【００１５】
本発明を用いた録画再生装置では、映画館の雰囲気を出す等の快適な環境で鑑賞しようとする際、部屋を暗くするのに合わせて、映像モニター以外の発光は極力無くすため、表示管制御部２０４は蛍光表示管１０１のグリット駆動のパルス幅を短くし、ＰＷＭ駆動部では電源確認用ＬＥＤ１０５，録画動作確認用ＬＥＤ１０６，ディスク検出結果表示用ＬＥＤ１０７のＬＥＤへの電流量を小さく（時分割制御であればＬＥＤの通電時間を短く）し、蛍光表示管１０１と電源確認用ＬＥＤ１０５，録画動作確認用ＬＥＤ１０６，ディスク検出結果表示用ＬＥＤ１０７のＬＥＤとが同期して暗くなり、暗い部屋の環境下で、より映画館に近い鑑賞環境にすることが可能となる。
【００１６】
この電源確認用ＬＥＤ１０５，録画動作確認用ＬＥＤ１０６，ディスク検出結果表示用ＬＥＤ１０７のＬＥＤのＰＷＭ駆動部２０５と、表示管制御部２０４と、輝度制御プログラムにて、表示ＵＩ部を構成している。
【００１７】
この実施の形態では蛍光表示管１０１を用いた。しかし、本発明はこれに限らず液晶ディスプレイのバックライトの輝度を制御するようにしても良い。この場合も先の説明と同様に、液晶バックライトと電源確認用ＬＥＤ１０５，録画動作確認用ＬＥＤ１０６，ディスク検出結果表示用ＬＥＤ１０７のＬＥＤの輝度を同時に明／暗の同じ方向へ輝度制御することで、液晶の明るさと同期して電源確認用ＬＥＤ１０５，録画動作確認用ＬＥＤ１０６，ディスク検出結果表示用ＬＥＤ１０７のＬＥＤの明るさを制御する。
【００１８】
更に、時計部２０７は、録画再生装置は時計用水晶振動子２０６から１秒単位での時刻を演算し、演算した時刻をＣＰＵ２０１へ出力する。
本発明の録画再生装置では、この時計部２０７から入力された時刻情報と、ＲＯＭ２００から読み出したタイマー制御プログラムとを用いることにより、録画予約などの時刻による制御が可能である。録画予約などの情報はＲＡＭ２０２に記憶される。
【００１９】
本発明の録画再生装置では、タイマー制御プログラム内から輝度を制御するための制御プログラムを実行することが可能であり、時計部２０７から入力された時刻により、表示ＵＩ部を制御することが可能である。輝度を制御するための制御プログラムを実行し、表示管制御部２０４と、電源確認用ＬＥＤ１０５，録画動作確認用ＬＥＤ１０６，ディスク検出結果表示用ＬＥＤ１０７のＬＥＤを駆動するＰＷＭ駆動部へも、輝度データの指示を出すことが可能となる。
【００２０】
例えば、スイッチ不１０２および受信制御部２０３から入力されたユーザの起床時間をＲＡＭ２０２に予め保持しておき、ＣＰＵ２０１はタイマー制御プログラムを実行する。時計部２０７からの時刻とＲＡＭ２０２に保持した時刻とが等しくなると（到達すると）、タイマー制御プログラム内から輝度を制御するための制御プログラムを実行することにより、表示管制御部２０４および電源確認用ＬＥＤ１０５，録画動作確認用ＬＥＤ１０６，ディスク検出結果表示用ＬＥＤ１０７のＬＥＤを駆動するＰＷＭ駆動部２０５を制御して、輝度を変えることが可能となる。
【００２１】
本発明の録画再生装置においては、時刻により、表示管制御部２０４，電源確認用ＬＥＤ１０５，録画動作確認用ＬＥＤ１０６，ディスク検出結果表示用ＬＥＤ１０７の輝度を８段階から選んだ輝度へ変えることが可能である。また、輝度を変えるタイミングもユーザの生活リズムに合せ、（１）起床時刻、（２）部屋の照明を入れる時刻、（３）就寝時刻それぞれ、第１所定時刻、第２所定時刻、第３所定時刻というように１日３回以上のタイミングで変えることができる。
【００２２】
これはユーザが予めスイッチ部１０２を操作することにより受信制御部２０３，ＣＰＵ２０１を介してＲＡＭ２０２へ記憶される。
図３乃至図５を用いてこの輝度レベルの設定動作と設定された後の調整動作について説明する。
図３は、録画再生装置の各種表示手段の輝度レベルと時刻との関係を示す図である。
図４は、録画再生装置の各種表示手段の輝度レベルと時刻とを記憶するときの動作を示すフローチャートである。
図５は、録画再生装置の各種表示手段の輝度レベルを、予め設定された時刻に応じて変更するときの動作を示すフローチャートである。
第１の実施の形態では図３に示す通り、８段階の輝度レベルを準備しており、上述した第１の時刻〜第２の時刻間、第２の時刻〜第３の時刻間、第３の時刻〜第１の時刻間にそれぞれ８段階の中から１つの輝度レベルを設定することができる。ユーザにより設定された各時間帯での輝度レベルはＲＡＭ２０２に保持される。ＣＰＵ２０１はＲＯＭ２００のプログラムを実行することにより、図４に示すフローチャートに従ってこれら設定をＲＡＭ２０２に保持する。
【００２３】
図４において、ＣＰＵ２０１はユーザにＧＵＩの画面を表示し第１の時刻の入力を促す（ステップ４０１）。ステップ４０１でユーザから第１の時刻の入力がされると（ステップ４０２）、入力された第１の時刻をＲＡＭ２０２に保持する（ステップ４０３）。ステップ４０２で入力されるまではステップ４０１の処理を続ける。
【００２４】
次に、ＣＰＵ２０１はユーザにＧＵＩの画面を表示し第２の時刻の入力を促す（ステップ４０４）。ステップ４０４でユーザから第２の時刻の入力がされると（ステップ４０５）、入力された第２の時刻をＲＡＭ２０２に保持する（ステップ４０６）。ステップ４０５で入力されるまではステップ４０４の処理を続ける。
【００２５】
次に、ＣＰＵ２０１はユーザにＧＵＩの画面を表示し第３の時刻の入力を促す（ステップ４０７）。ステップ４０７でユーザから第３の時刻の入力がされると（ステップ４０８）、入力された第３の時刻をＲＡＭ２０２に保持する（ステップ４０９）。ステップ４０８で入力されるまではステップ４０７の処理を続ける。
【００２６】
以上の動作により第１の時刻として６：００、第２の時刻として１８：００、第３の時刻として２４：００という時刻が、スイッチ部１０２を操作することにより受信制御部２０３，ＣＰＵ２０１を介してＲＡＭ２０２へ記憶される。
【００２７】
次に、ＣＰＵ２０１はユーザにＧＵＩの画面を表示し第１の時刻〜第２の時刻間の第１の輝度レベルを８段階の中からいずれの段階に設定するのか入力を促す（ステップ４１０）。ステップ４１０で第１の輝度レベルの入力がされると（ステップ４１１）、入力された第１の輝度レベルをＲＡＭ２０２に保持する（ステップ４１２）。ステップ４１１で入力されるまではステップ４１０の処理を続ける。
【００２８】
次に、ＣＰＵ２０１はユーザにＧＵＩの画面を表示し第２の時刻〜第３の時刻間の第２の輝度レベルを８段階の中からいずれの段階に設定するのか入力を促す（ステップ４１３）。ステップ４１３で第２の輝度レベルの入力がされると（ステップ４１４）、入力された第２の輝度レベルをＲＡＭ２０２に保持する（ステップ４１５）。ステップ４１４で入力されるまではステップ４１３の処理を続ける。
【００２９】
次に、ＣＰＵ２０１はユーザにＧＵＩの画面を表示し第３の時刻〜第１の時刻間の第３の輝度レベルを８段階の中からいずれの段階に設定するのか入力を促す（ステップ４１６）。ステップ４１６で第３の輝度レベルの入力がされると（ステップ４１７）、入力された第３の輝度レベルをＲＡＭ２０２に保持する（ステップ４１８）。ステップ４１７で入力されるまではステップ４１６の処理を続ける。
【００３０】
以上の動作に、第１の輝度レベルから第３の輝度レベルがＲＡＭ２０２に保持される。
次に、このように設定された後の録画再生装置の現在時刻による輝度レベルの変更動作について図５を用いて詳細に説明する。
ＣＰＵ２０１は、時計部２０７から現在時刻が入力される（ステップ５０１）。
次に、ＣＰＵ２０１は、時計部２０７から入力された現在時刻が第１乃至第３の時刻からなるいずれの時間帯（第１の時刻〜第２の時刻／第２の時刻〜第３の時刻／第３の時刻〜第１の時刻）であるかを判定する（ステップ５０２）。
【００３１】
次に、ＣＰＵ２０１は、ステップ５０２の判定の結果が第１の時刻（例えば：図３では６：００）〜第２の時刻（例えば：図３では１８：００）間であると判定されたとき、表示管制御部２０４と電源確認用ＬＥＤ１０５，録画動作確認用ＬＥＤ１０６，ディスク検出結果表示用ＬＥＤ１０７を駆動するＰＷＭ駆動部２０５を制御して輝度レベルを第１の輝度レベル（図５に示した例では輝度レベル６）とし（ステップ５０３）、図５の処理を繰り返す。
【００３２】
また、ＣＰＵ２０１は、ステップ５０２の判定の結果が第２の時刻（例えば：図３では１８：００）〜第３の時刻（例えば：図３では２４：００）間であると判定されたとき、表示管制御部２０４と電源確認用ＬＥＤ１０５，録画動作確認用ＬＥＤ１０６，ディスク検出結果表示用ＬＥＤ１０７を駆動するＰＷＭ駆動部２０５を制御して輝度レベルを第２の輝度レベル（図５に示した例では輝度レベル８）とし（ステップ５０４）、図５の処理を繰り返す。
【００３３】
また、ＣＰＵ２０１は、ステップ５０２の判定の結果が第３の時刻（例えば：図３では２４：００）〜第１の時刻（例えば：図３では６：００）間であると判定されたとき、表示管制御部２０４と電源確認用ＬＥＤ１０５，録画動作確認用ＬＥＤ１０６，ディスク検出結果表示用ＬＥＤ１０７を駆動するＰＷＭ駆動部２０５を制御して輝度レベルを第３の輝度レベル（図５に示した例では輝度レベル２）とし（ステップ５０５）、図５の処理を繰り返す。
【００３４】
これにより１日に、昼間，夕方から就寝までの間，就寝中、の３つの期間で、表示管制御部２０４と電源確認用ＬＥＤ１０５，録画動作確認用ＬＥＤ１０６，ディスク検出結果表示用ＬＥＤ１０７を異なった輝度へ制御することが可能である。
【００３５】
なお、蛍光表示管１０１ではなくバックライト付き液晶表示装置を用いる場合には、表示管制御部２０４にバックライトの輝度を制御するようにすれば良い。
以上説明した通り本発明の第１の実施の形態では、輝度を変化させる時刻をユーザが自由に設定できるので、ユーザの生活リズムに合った動作を行わせることができる。更に、動作時と待機時とで輝度を変えているので、省電力とすることができる。
【００３６】
（第２の実施の形態）
次に、本発明の第２の実施の形態について説明する。この第２の実施の形態では、上記実施の形態と比較して図６に示した録画再生装置の各種表示手段の輝度レベルと時刻との関係を変更した図である。
【００３７】
本実施の形態では、待機時と動作時とで異なる輝度レベルに設定できる。このとき待機時と動作時とで２倍の設定メモリ容量を消費させても良い。しかし、例えば図６（ａ）に示す通り待機時は通電動作時の所定の倍率、例えば０．５倍の輝度レベルとすることにより、設定に必要なメモリ容量を削減することができる。
【００３８】
また、図６（ｂ）に示す通り電源投入動作中には利用者の操作がし易いように輝度変化を小さくし、待機中には省電力および部屋への発光影響を少なくするため輝度変化を大きく設定する特性としても良い。これにより利用者の操作のし易さと待機中の省電力とをバランス良く調整することができる。
【００３９】
また、図７（ａ）に示す通り動作時には固定の輝度レベル、待機時には時刻に応じて輝度レベルを変えても良い。これにより使用しているとき（電源投入動作時）には高い輝度レベルで使用でき、不使用時（待機時）には低消費電力と視認性を両立させることができる。
【００４０】
また、図７（ｂ）に示す通り動作時には時刻に応じて輝度レベルを変え、待機時には固定の輝度レベル、これにより使用しているとき（電源投入動作時）には低消費電力と視認性を両立させることができ、不使用時（待機時）には電源投入時よりも低い輝度レベルとし低消費電力とすることができる。不使用時（待機時）にはユーザが用いらる頻度が低いので余り問題となることはない。
【００４１】
また、他の実施の形態としては、利用者による録画再生装置内の受信制御部２０３への操作毎に、その時刻をＲＡＭ２０２へ保持しておき、受信制御部２０３への操作が所定時間（例えば１２時間）無ければ、各種表示手段の輝度レベルを更に低く制御する。この所定時間は予め受信制御部２０３を介してＲＡＭ２０２に保持される。また、待機中と、電源投入動作中での所定時間を、それぞれ待機所定時間と動作所定時間として、別な所定時間としてＲＡＭ２０２に保持し制御する。
【００４２】
ＣＰＵ２０１は、ユーザからの指示の無い状態が所定時間続いた場合、一層の省電力のため、更に輝度レベルを下げる省電力制御を実施する。これは電源投入／待機中に対して予めそれぞれ設定された待機所定時間と動作所定時間に応じて実施する。そしてユーザから録画再生装置内の受信制御部２０３への操作が発生すると、元の輝度に戻す。
【００４３】
また、この実施例では放送信号に含まれる例えば朝７：００、夜７：００の時報（時刻情報）を利用して時計部２０７を更正する機能を有している。この更正時には更正時刻の所定時間（前後３分）について裏側で電源を投入して時刻情報を受信するが、この受信するために裏で電源を投入しているときの所定時間には、時刻調整中であることを示すためＣＰＵ２０１は電源ＬＥＤ１０５の輝度を８段階中の一番輝度が高いレベルとすることによりユーザに知らせるようにしても良い。なお、時計を更正するための時刻情報としてはデジタルを含むテレビジョン放送の他、電波時計等に用いられている電波を利用しても良い。
【００４４】
【発明の効果】
以上説明したようにこの発明によれば、蛍光表示管、液晶のバックライト等の輝度を変化させる時刻をユーザが自由に設定することができるので、ユーザの生活リズムに合った動作を行わせることができる。
【図面の簡単な説明】
【図１】録画再生装置のフロントパネル部を示す図。
【図２】録画再生装置の機能構成を示す図。
【図３】録画再生装置の各種表示手段の輝度レベルと時刻との関係を示す図。
【図４】録画再生装置の各種表示手段の輝度レベルと時刻とを記憶するときの動作を示すフローチャート。
【図５】録画再生装置の各種表示手段の輝度レベルを、予め設定された時刻に応じて変更するときの動作を示すフローチャート。
【図６】録画再生装置の各種表示手段の輝度レベルと時刻との関係を示す図。
【図７】録画再生装置の各種表示手段の輝度レベルと時刻との関係を示す図。
【符号の説明】
１０１…蛍光表示管、１０２…スイッチ部、１０３…リモコン受光部、１０４…電源スイッチ、１０５…電源確認用ＬＥＤ、１０６…録画動作確認用ＬＥＤ、１０７…ディスク検出結果表示用ＬＥＤ、１０８…ＤＶＤドライブ、２０１…ＣＰＵ、２０２…ＲＡＭ、２０３…受信制御部、２０４…表示管制御部、２０５…ＰＷＭ駆動部、２０６…時計用水晶振動子、２０７…時計部。
【図１】
2004004217.tif 000003
【図２】
2004004217.tif 000004
【図３】
2004004217.tif 000005
【図４】
2004004217.tif 000006
【図５】
2004004217.tif 000007
【図６】
2004004217.tif 000008
【図７】
2004004217.tif 000009